(57)【要約】【課題】吸収剤の再生処理数を抑制することができる有害ガス除去装置の吸収剤の交換方法を提供する。【解決手段】処理容器１１から送出される大気１中の二酸化窒素の処理率が基準値（例えば９０％）未満となったら、処理容器１１内の吸収剤１２Ａ１〜１２Ｄ１のうち、予め定められた割合の利用率（例えば３０％）を超える吸収剤１２Ａ１，１２Ｂ１のみを処理容器１１内から取り出し、前記利用率以下の残りの吸収剤１２Ｃ１，Ｄ１を、取り出した吸収剤１２Ａ１，１２Ｂ１の配設位置に移設し、新たな吸収剤１２Ｃ２，１２Ｄ２を、空いている配設位置に配設することにより、処理容器１１内の吸収剤１２Ａ１〜１２Ｄ１を交換するようにした。【選択図】図１
2007229580.tif 000002
【特許請求の範囲】
【請求項１】
大気を内部に流通させる処理容器と、
前記大気の流通方向に沿うように前記処理容器の内部に複数列配設されて、有害ガスを吸収する成分を保持する多孔体からなる吸収剤と
を備える有害ガス除去装置の吸収剤の交換方法であって、
前記処理容器から送出される前記大気中の前記有害ガスの処理率が基準値未満となったら、当該処理容器内の前記吸収剤のうち、予め定められた割合の利用率を超える前記吸収剤のみを当該処理容器内から取り出し、予め定められた割合の利用率以下の残りの前記吸収剤を、取り出した前記吸収剤の配設位置に移設し、新たな吸収剤を、空いている配設位置に配設することにより、前記処理容器内の前記吸収剤を交換する
ことを特徴とする有害ガス除去装置の吸収剤の交換方法。
【請求項２】
請求項１において、
予め定められた割合の利用率以下の残りの前記吸収剤を、前記大気の流通方向下流側に位置するものほど当該流通方向上流側に位置させるように、取り出した前記吸収剤の配設位置に移設する
ことを特徴とする有害ガス除去装置の吸収剤の交換方法。
【請求項３】
請求項１又は請求項２において、
前記有害ガス除去装置が、トンネル内の大気中の有害ガスを除去するものである
ことを特徴とする有害ガス除去装置の吸収剤の交換方法。
【請求項４】
請求項３において、
前記有害ガスが、二酸化窒素である
ことを特徴とする有害ガス除去装置の吸収剤の交換方法。
【請求項５】
請求項４において、
前記処理容器から送出される前記大気中の前記有害ガスの処理率の前記基準値が、９０％であり、
前記吸収剤の予め定められた割合の前記利用率が、３０％である
ことを特徴とする有害ガス除去装置の吸収剤の交換方法。
【発明の詳細な説明】
【技術分野】
【０００１】
本発明は、トンネル等に配設されて自動車等からの排ガス中の二酸化窒素等の有害ガスを吸収除去する有害ガス除去装置の吸収剤の交換方法に関する。
【背景技術】
【０００２】
トンネル等に配設されて自動車等からの排ガス中の二酸化窒素等の有害ガスを吸収除去する有害ガス除去装置は、例えば、図５（ａ）に示すように、大気１を内部に流通させる処理容器１１と、大気１の流通方向に沿うように処理容器１１の内部に複数列（本例では４列）配設されて、有害ガスである二酸化窒素を吸収する成分を保持するハニカム形状等の多孔体からなる吸収剤１２Ａ１〜１２Ｄ１とを備え、当該処理容器１１の内部に大気１を流通させて、当該大気１を上記吸収剤１２Ａ１〜１２Ｄ１内に順次流通させることにより、当該大気１中の二酸化窒素を当該吸収剤１２Ａ１〜１２Ｄ１に吸収させて当該大気１中から除去して、当該大気１を浄化処理できるようにしたものがある。
【０００３】
このような有害ガス除去装置１０においては、大気１中の二酸化窒素を浄化処理していくにしたがって、上記吸収剤１２Ａ１〜１２Ｄ１の吸収成分による二酸化窒素の吸収能力が低下してくるため、処理容器１２から送出される大気１中の二酸化窒素の処理率が基準値（例えば９０％）未満となったら、図５（ｂ）に示すように、処理容器１１内から上記吸収剤１２Ａ１〜１２Ｄ１をすべて取り出した後、図５（ｃ）に示すように、新たな吸収剤１２Ａ２〜１２Ｄ２を処理容器１２内に配列することにより、使用済みの上記吸収剤１２Ａ１〜１２Ｄ１と新たな吸収剤１２Ａ２〜１２Ｄ２とを交換して、大気１中からの二酸化窒素の吸収能力を回復させると共に、取り出した使用済みの上記吸収剤１２Ａ１〜１２Ｄ１を再生処理して、再び利用するようにしている。
【０００４】
【特許文献１】特開平１−１７６４５０号公報
【発明の開示】
【発明が解決しようとする課題】
【０００５】
ところで、前述したような有害ガス除去装置１０における上記吸収剤１２Ａ１〜１２Ｄ１の再生処理は、非常に手間がかかってしまうため、上記吸収剤１２Ａ１〜１２Ｄ１の再生処理数をできる限り少なくすることが強く求められている。
【０００６】
このようなことから、本発明は、吸収剤の再生処理数を抑制することができる有害ガス除去装置の吸収剤の交換方法を提供することを目的とする。
【課題を解決するための手段】
【０００７】
前述した課題を解決するための、第一番目の発明に係る有害ガス除去装置の吸収剤の交換方法は、大気を内部に流通させる処理容器と、前記大気の流通方向に沿うように前記処理容器の内部に複数列配設されて、有害ガスを吸収する成分を保持する多孔体からなる吸収剤とを備える有害ガス除去装置の吸収剤の交換方法であって、前記処理容器から送出される前記大気中の前記有害ガスの処理率が基準値未満となったら、当該処理容器内の前記吸収剤のうち、予め定められた割合の利用率を超える前記吸収剤のみを当該処理容器内から取り出し、予め定められた割合の利用率以下の残りの前記吸収剤を、取り出した前記吸収剤の配設位置に移設し、新たな吸収剤を、空いている配設位置に配設することにより、前記処理容器内の前記吸収剤を交換することを特徴とする。
【０００８】
第二番目の発明に係る有害ガス除去装置の吸収剤の交換方法は、第一番目の発明において、予め定められた割合の利用率以下の残りの前記吸収剤を、前記大気の流通方向下流側に位置するものほど当該流通方向上流側に位置させるように、取り出した前記吸収剤の配設位置に移設することを特徴とする。
【０００９】
第三番目の発明に係る有害ガス除去装置の吸収剤の交換方法は、第一番目又は第二番目の発明において、前記有害ガス除去装置が、トンネル内の大気中の有害ガスを除去するものであることを特徴とする。
【００１０】
第四番目の発明に係る有害ガス除去装置の吸収剤の交換方法は、第三番目の発明において、前記有害ガスが、二酸化窒素であることを特徴とする。
【００１１】
第五番目の発明に係る有害ガス除去装置の吸収剤の交換方法は、第四番目の発明において、前記処理容器から送出される前記大気中の前記有害ガスの処理率の前記基準値が、９０％であり、前記吸収剤の予め定められた割合の前記利用率が、３０％であることを特徴とする。
【発明の効果】
【００１２】
本発明に係る有害ガス除去装置の吸収剤の交換方法によれば、処理容器内の吸収剤のうち、予め定められた割合の利用率を超える吸収剤のみを処理容器内から取り出し、前記利用率以下の残りの吸収剤を、取り出した吸収剤の配設位置に移設し、新たな吸収剤を、空いている配設位置に配設するようにしたので、吸収剤の交換頻度を従来と同程度にしながらも、再生処理を行う吸収剤の数量を従来の場合よりも約半分程度にすることができ、吸収剤の再生処理数を大幅に抑制することができる。
【発明を実施するための最良の形態】
【００１３】
本発明に係る有害ガス除去装置の吸収剤の交換方法の実施形態を図面に基づいて以下に説明するが、本発明は以下の実施形態に限定されるものではない。
【００１４】
［第一番目の実施形態］
本発明に係る有害ガス除去装置の吸収剤の交換方法の第一番目の実施形態を図１，２に基づいて以下に説明する。図１は、有害ガス除去装置の吸収剤の交換方法の説明図、図２は、吸収剤のガス流れ方向の累積長さ位置と利用率との関係を表わすグラフである。
【００１５】
本実施形態に係る有害ガス除去装置は、図１（ａ）に示すように、大気１を内部に流通させる処理容器１１と、大気１の流通方向に沿うように処理容器１１の内部に複数列（本例では４列）配設されて、有害ガスである二酸化窒素を吸収する成分を保持するハニカム形状等の多孔体からなる吸収剤１２Ａ１〜１２Ｄ１とを備え、当該処理容器１１の内部に大気１を流通させて、当該大気１を上記吸収剤１２Ａ１〜１２Ｄ１内に順次流通させることにより、当該大気１中の二酸化窒素を当該吸収剤１２Ａ１〜１２Ｄ１に吸収させて当該大気１中から除去して、当該大気１を浄化処理することができるようになっている。
【００１６】
このような有害ガス除去装置１０においては、大気１中の二酸化窒素を浄化処理していくにしたがって、上記吸収剤１２Ａ１〜１２Ｄ１の吸収成分による二酸化窒素の吸収能力が低下して、処理容器１１から送出される大気１中の二酸化窒素の処理率が基準値（例えば９０％）を下回るようになる。
【００１７】
このとき（吸収剤の交換時期）の吸収剤１２Ａ１〜１２Ｄ１の利用率（飽和吸収量に対して実際に吸収した量の割合）を本発明者らが調査したところ、図２に示すように、吸収剤１２Ａ１〜１２Ｄ１の利用率は、上流側（入口側）に位置する箇所ほど高く、下流側（出口側）に位置する箇所ほど低い、すなわち、上流側（入口側）に位置する箇所側の吸収能力が低下しているだけで、下流側（出口側）に位置する箇所側の吸収能力には低下があまり見られないことが明らかとなった。
【００１８】
そこで、本実施形態においては、処理容器１１から送出される大気１中の前記処理率が基準値（例えば９０％）未満となったら、図１（ｂ）に示すように、処理容器１１内の吸収剤１２Ａ１〜１２Ｄ１のうち、予め定められた割合の前記利用率（例えば３０％）を超える吸収剤（例えば吸収剤１２Ａ１，１２Ｂ１）のみを処理容器１１内から取り出し、予め定められた割合の利用率（例えば３０％）以下の残りの吸収剤（例えば吸収剤１２Ｃ１，１２Ｄ１）を、取り出した吸収剤１２Ａ１，１２Ｂ１の配設位置に移設して、図１（ｃ）に示すように、新たな吸収剤１２Ｃ２，１２Ｄ２を、空いている配設位置に配設することにより、処理容器１１内の吸収剤１２Ａ１〜１２Ｄ１を交換して、大気１中からの二酸化窒素の吸収能力を回復させると共に、取り出した使用済みの上記吸収剤１２Ａ１，１２Ｂ１を再生処理して、再び利用する。
【００１９】
つまり、処理容器１１から送出される大気１中の前記処理率が基準値（例えば９０％）未満となったら、従来は、処理容器１１内のすべての吸収剤１２Ａ１〜１２Ｄ１を新たな吸収剤１２Ａ２〜１２Ｄ２に一括して交換するようにしたが、本実施形態では、処理容器１１内の吸収剤１２Ａ１〜１２Ｄ１のうち、予め定められた割合の前記利用率（例えば３０％）を超える前記流通方向上流側の吸収剤１２Ａ１，１２Ｂ１のみを処理容器１１内から取り出し、予め定められた割合の利用率（例えば３０％）以下の前記流通方向下流側の吸収剤１２Ｃ１，１２Ｄ１を、前記流通方向上流側の配設位置に移設して、新たな吸収剤１２Ｃ２，１２Ｄ２を、前記流通方向下流側の配設位置のみに配設するようにしたのである。
【００２０】
このため、本実施形態の場合と従来の場合とで同一量の二酸化窒素を処理したときを比較すると、本実施形態の場合においては、吸収剤の交換頻度を従来と同程度にしながらも、再生処理を行う吸収剤の数量を従来の場合よりも約２５％程度削減することができる。
【００２１】
したがって、本実施形態に係る有害ガス除去装置１０の吸収剤の交換方法によれば、吸収剤の再生処理数を大幅に抑制することができる。
【００２２】
なお、処理容器１１から送出される大気１中の前記処理率が基準値未満となったときの、吸収剤１２Ａ１〜１２Ｄ１の前記利用率は、試験運転等の結果から予め得ることができる値である。
【００２３】
［第二番目の実施形態］
本発明に係る有害ガス除去装置の吸収剤の交換方法の第二番目の実施形態を図３に基づいて以下に説明する。図３は、有害ガス除去装置の吸収剤の交換方法の説明図である。なお、前述した第一番目の実施形態の場合と同様な部分については、前述した第一番目の実施形態の説明で用いた符号と同一の符号を用いることにより、前述した第一番目の実施形態での説明と重複する説明を省略する。
【００２４】
本実施形態においては、図３（ａ）に示すように、大気１中の二酸化窒素を浄化処理して、処理容器１１から送出される大気１中の前記処理率が基準値（例えば９０％）未満となったら、図３（ｂ）に示すように、処理容器１１内の吸収剤１２Ａ１〜１２Ｄ１のうち、予め定められた割合の前記利用率（例えば３０％）を超える吸収剤（例えば吸収剤１２Ａ１，１２Ｂ１）のみを処理容器１１内から取り出し、予め定められた割合の利用率（例えば３０％）以下の残りの吸収剤（例えば吸収剤１２Ｃ１，１２Ｄ１）を、大気１の流通方向下流側に位置するものほど当該流通方向上流側に位置させるように、取り出した吸収剤１２Ａ１，１２Ｂ１の配設位置に移設、具体的には、大気１の流通方向最下流側に位置する吸収剤１２Ｄ１を大気１の流通方向最上流側に位置した吸収剤１２Ａ１の位置に移設すると共に、大気１の流通方向最下流側から二番目に位置する吸収剤１２Ｃ１を大気１の流通方向最上流側から二番目に位置した吸収剤１２Ｂ１の位置に移設して、図３（ｃ）に示すように、新たな吸収剤１２Ｃ２，１２Ｄ２を、空いている配設位置に配設する、具体的には、大気１の流通方向下流側に位置した吸収剤１２Ｃ１，１２Ｄ１の位置に配設することにより、処理容器１１内の吸収剤１２Ａ１〜１２Ｄ１を交換して、大気１中からの二酸化窒素の吸収能力を回復させると共に、取り出した使用済みの上記吸収剤１２Ａ１，１２Ｂ１を再生処理して、再び利用する。
【００２５】
つまり、前述した第一番目の実施形態では、前記利用率（例えば３０％）以下の残りの吸収剤（例えば吸収剤１２Ｃ１，１２Ｄ１）を、取り出した吸収剤１２Ａ１，１２Ｂ１の配設位置に前記流通方向上流側へ単にスライド移動させるように移設するようにしたが、本実施形態では、前記利用率（例えば３０％）以下の残りの吸収剤（例えば吸収剤１２Ｃ１，１２Ｄ１）を、大気１の流通方向下流側に位置するものほど当該流通方向上流側に位置させるように、取り出した吸収剤１２Ａ１，１２Ｂ１の配設位置に移設、すなわち、取り出した吸収剤１２Ａ１，１２Ｂ１と移設する吸収剤１２Ｃ１，１２Ｄ１との間を境にして線対称（点対称）となるように、利用率の低い吸着剤（前記流通方向下流側の吸着剤）ほど利用率の高くなる位置（前記流通方向上流側）に移設するようにしたのである。
【００２６】
したがって、本実施形態に係る有害ガス除去装置１０の吸収剤の交換方法によれば、前述した第一番目の実施形態の場合と同様な効果を得ることができるのはもちろんのこと、前述した第一番目の実施形態の場合よりも、吸収剤の交換期間を長くすることができるので、吸収剤の再生処理数をさらに抑制することができる。
【００２７】
［他の実施形態］
なお、前述した第一，二番目の実施形態では、大気１中の二酸化窒素を浄化処理して、処理容器１１から送出される大気１中の前記処理率が基準値（例えば９０％）未満となったら、処理容器１１内の吸収剤１２Ａ１〜１２Ｄ１のうち、前記利用率３０％を超える前記流通方向上流側の吸収剤１２Ａ１，１２Ｂ１のみを処理容器１１内から取り出し、前記利用率３０％以下の前記流通方向下流側の吸収剤１２Ｃ１，１２Ｄ１を、前記流通方向上流側の配設位置に移設して、新たな吸収剤１２Ｃ２，１２Ｄ２を、前記流通方向下流側の配設位置のみに配設するようにしたが、他の実施形態として、例えば、各種の処理条件や再生条件等によっては、図４（ａ）に示すように、大気１中の二酸化窒素を浄化処理して、処理容器１１から送出される大気１中の前記処理率が基準値（例えば９０％）未満となったら、図４（ｂ）に示すように、処理容器１１内の吸収剤１２Ａ１〜１２Ｄ１のうち、前記利用率１０％を超える前記流通方向上流側の吸収剤１２Ａ１〜１２Ｃ１のみを処理容器１１内から取り出し、前記利用率１０％以下の前記流通方向下流側の吸収剤１２Ｄ１を、前記流通方向最上流側の配設位置に移設して、図４（ｃ）に示すように、新たな吸収剤１２Ｂ２〜１２Ｄ２を、前記流通方向下流側の配設位置のみに配設することにより、処理容器１１内の吸収剤１２Ａ１〜１２Ｄ１を交換して、大気１中からの二酸化窒素の吸収能力を回復させると共に、取り出した使用済みの上記吸収剤１２Ａ１〜１２Ｃ１を再生処理して、再び利用するようにすることも可能である。
【００２８】
また、前述した実施形態では、大気１の流通方向に沿うように処理容器１１の内部に４列の吸収剤１２Ａ１〜１２Ｄ１を配設した有害ガス除去装置１０の吸収剤１２Ａ１〜１２Ｄ１の交換方法について説明したが、本発明はこのような実施形態に限らず、大気の流通方向に沿うように処理容器の内部に複数列の吸収剤を配設した有害ガス除去装置の吸収剤を交換する場合であれば、前述した実施形態の場合と同様にして適用することができ、前述した実施形態の場合と同様な効果を得ることができる。
【００２９】
また、前述した実施形態では、トンネル内の大気中の二酸化窒素を吸収除去する吸収剤１２Ａ１〜１２Ｄ１を備えた有害ガス除去装置１０の吸収剤１２Ａ１〜１２Ｄ１の交換方法について説明したが、本発明はこのような実施形態に限らず、大気を内部に流通させる処理容器と、前記大気の流通方向に沿うように前記処理容器の内部に複数列配設されて、有害ガスを吸収する成分を保持する多孔体からなる吸収剤とを備える有害ガス除去装置の吸収剤を交換する場合であれば、前述した実施形態の場合と同様にして適用することができ、前述した実施形態の場合と同様な効果を得ることができる。
【産業上の利用可能性】
【００３０】
本発明に係る有害ガス除去装置の吸収剤の交換方法は、吸収剤の交換頻度を従来と同程度にしながらも、再生処理を行う吸収剤の数量を従来の場合よりも大幅に削減することができ、吸収剤の再生処理数を大幅に抑制することができるので、産業上、極めて有益に利用することができる。
【図面の簡単な説明】
【００３１】
【図１】本発明に係る有害ガス除去装置の吸収剤の交換方法の第一番目の実施形態の説明図である。
【図２】吸収剤のガス流れ方向の累積長さ位置と利用率との関係を表わすグラフである。
【図３】本発明に係る有害ガス除去装置の吸収剤の交換方法の第二番目の実施形態の説明図である。
【図４】本発明に係る有害ガス除去装置の吸収剤の交換方法の他の実施形態の説明図である。
【図５】有害ガス除去装置の吸収剤の従来の交換方法の一例の説明図である。
【符号の説明】
【００３２】
１  大気
１０  有害ガス除去装置
１１  処理容器
１２Ａ１〜１２Ｄ１，１２Ａ２〜１２Ｄ２  吸収剤
【図１】
2007229580.tif 000003
【図２】
2007229580.tif 000004
【図３】
2007229580.tif 000005
【図４】
2007229580.tif 000006
【図５】
2007229580.tif 000007